(57)【要約】【課題】兎の体毛や皮膚を傷つけることなく、兎に容易に着脱することができる兎用ハーネスの技術を提供する。【解決手段】兎用ハーネス１は兎の前足付け根部分から上部の首部分を被包する綿やポリエステルの各種の布材料や樹脂材料等で一体物として形成する。下辺の略中央部分が略直線辺１ａとなりその略直線辺１ａに繋がる下辺の左右部分が緩やかに曲線を描いて立上辺１ｂ、１ｃを形成する。兎用ハーネス１の上辺１ｄはその略中央部分が兎Ａに被包した際、兎Ａの首下部分に位置するように設定してあって、深さの大きい略Ｖ字状凹部１ｅを形成し、上辺１ｄに於ける略中央部分に連なる左・右部分１ｆ、１ｇは深さの浅い略円弧状凹部となっており、この左・右部分１ｆ、１ｇは兎Ａに兎用ハーネス１を被包したとき兎Ａの首部分に当接する構成となっている。【選択図】図２
0003162235.tif 000002
【実用新案登録請求の範囲】
【請求項１】
兎の首下部分に位置しかつ上辺の略中央部分に深さの大きい略Ｖ字状凹部及び兎の首上部分に位置しかつ上辺の略中央部部分に連なる左・右部分に深さの浅い略円弧状凹部をそれぞれ形成してなる上辺と、全体構成に於ける左・右に形成した兎の前足を挿通する２つの略丸孔と、直線辺及び左・右に立上辺を形成しかつ前記上辺の両端に繋がる下辺と、前記上辺及び下辺と交わる部位に紐連結される係止具と、兎用ハーネスの左・右端部分の少なくとも一方の表面又は他方の裏面に備えた固定手段とでなることを特徴とする兎用ハーネス。
【考案の詳細な説明】
【技術分野】
【０００１】
本考案は、兎の体毛や皮膚を傷つけることなく、該兎に着脱容易にした兎用ハーネスに関する。
【背景技術】
【０００２】
従来、兎や犬等の小動物を散歩させるときは、他の歩行者等他人に迷惑をかけないように例えば当該小動物の首に止め金付首輪を掛け、この首輪に連結した紐を同伴者が持ち手で持つことにより行なっていた。
【先行技術文献】
【特許文献】
【０００３】
【特許文献１】実用新案登録第３１０５８０６号登録実用新案公報
【考案の開示】
【考案が解決しようとする課題】
【０００４】
従来の技術は叙上の構成であるので次の課題が存在した。
すなわち、小動物の首に掛ける止め金付首輪の係脱構造が複雑であると共に該小動物の首に着脱することに手間を要するという問題点があった。また、小動物の散歩中に於いて常に同伴者が前記紐を把持しており該紐が該小動物を引張るような作用となり、該小動物の首部分にストレスを掛け特に小動物の首部分の体毛や皮膚を傷付けるという問題点があった。
【課題を解決するための手段】
【０００５】
本考案はかかる問題点を解決するためになされたものであって、次の構成から成立する。
すなわち請求項１記載の考案によれば、兎の首下部分に位置しかつ上辺の略中央部分に深さの大きい略Ｖ字状凹部及び兎の首上部分に位置しかつ上辺の略中央部部分に連なる左・右部分に深さの浅い略円弧状凹部をそれぞれ形成してなる上辺と、全体構成に於ける左・右に形成した兎の前足を挿通する２つの略丸孔と、直線辺及び左・右に立上辺を形成しかつ前記上辺の両端に繋がる下辺と、前記上辺及び下辺と交わる部位に紐連結される係止具と、兎用ハーネスの左・右端部分の少なくとも一方の表面又は他方の裏面に備えた固定手段とでなることを特徴とする。
【考案の効果】
【０００６】
本考案に係る兎用ハーネスは叙上の構成を有するので次の効果がある。
【０００７】
請求項１記載の考案によれば、兎の首下部分に位置しかつ上辺の略中央部分に深さの大きい略Ｖ字状凹部及び兎の首上部分に位置しかつ上辺の略中央部部分に連なる左・右部分に深さの浅い略円弧状凹部をそれぞれ形成してなる上辺と、全体構成に於ける左・右に形成した兎の前足を挿通する２つの略丸孔と、直線辺及び左・右に立上辺を形成しかつ前記上辺の両端に繋がる下辺と、前記上辺及び下辺と交わる部位に紐連結される係止具と、兎用ハーネスの左・右端部分の少なくとも一方の表面又は他方の裏面に備えた固定手段とでなることを特徴とする兎用ハーネスを提供する。
このような構成としたので、兎に容易に着脱できると共に特に兎の首部分にストレスを与えることなく兎の体毛や皮膚を傷付けることなく兎を保護しつつ兎との散歩を円滑に行なうことができるという効果がある。
【図面の簡単な説明】
【０００８】
【図１】本考案に係る兎用ハーネスの実施の形態を示す図面であって、閉止した状態を示す正面図である。
【図２】図１に示す兎用ハーネスを展開した状態を示す正面図である。
【図３】本考案に係る兎用ハーネスを兎に装着した状態を示す斜視図である。
【考案を実施するための形態】
【０００９】
以下、本考案に係る兎用ハーネスに於ける実施の形態について図１ないし図３に基づき詳細に説明する。
【００１０】
１は、本考案に係る兎用ハーネスである。該本考案に係る兎用ハーネス１は図３に示すように兎の前足付け根部分から上部の首部分を被包する構成となっている。具体的には例えば綿やポリエステルの各種の布材料や樹脂材料等で一体物として形成されている。そして図２の展開図に示すように、下辺の略中央部分が略直線辺１ａとなりその略直線辺１ａに繋がる下辺の左右部分が緩やかに曲線を描いて立上辺１ｂ、１ｃを形成する。兎用ハーネス１の上辺１ｄはいわゆる波形状に形成され、その略中央部分が兎Ａに被包した際、兎Ａの首下部分に位置するように設定してあって、深さの大きい略Ｖ字状凹部１ｅを形成している。上辺１ｄに於ける略中央部分に連なる左・右部分１ｆ、１ｇは深さの浅い略円弧状凹部となっており、この左・右部分１ｆ、１ｇは兎Ａに兎用ハーネス１を被包したとき兎Ａの首部分に当接する構成となっている。
【００１１】
兎用ハーネス１の左・右端部分１ｈ、１ｉすなわち上辺１ｄ及び立上辺１ｂ、１ｃが交わる部位には兎用ハーネス１に連結される紐（図示せず）を着脱自在に固定するための係止具２、３を備えている。該係止具２、３は固定片２ａ、３ａと該固定片２ａ、３ａの接続する紐係止部２ｂ、３ｂを有している。そして前記係止具２、３に加えて兎用ハーネス１の左・右端部分１ｈ、１ｉのいずれか一方の表面・他方の裏面又は両方に固定手段５を備えている。該固定手段４は例えばいわゆるワンタッチで着脱・固定できるファスナーで構成する。
【００１２】
前記兎用ハーネス１の全体構成の略中央部分の左・右に該兎用ハーネス１を被包する際、兎Ａの２本の前足Ａ１、Ａ２を挿通するための貫通した略丸孔部４、５を形成している。そして兎用ハーネス１の上辺、下辺の縁部（へり）１ｊ、１ｋ及び略左・右丸孔の縁部（へり）１ｍ、１ｎは、例えば縁部１ｊ、１ｋ、１ｍ、１ｎを厚く２枚布材や袋閉じで構成し糸で縫い込み、亀裂や破断を防止すると共に兎の首部分や体を柔らかく被包するように構成している。
【００１３】
次に本考案に係る兎用ハーネス１の兎への着用手順等について説明する。
先ず図２に示す兎用ハーネス１を展開した状態に於いて兎Ａの前足２本を略丸孔部４、４に挿通する。このとき、略丸孔部４、４を兎Ａの前足Ａ１、Ａ２の付け根まで挿通する。そして兎用ハーネス１の左・右端部分１ｈ、１ｉを兎Ａの首上面まで被包し、固定手段５を閉止する。係止具２、３の紐係止部２ｂ、３ｂに紐（図示せず）を係止し同伴者が紐を持って散歩をおこなう。
【産業上の利用可能性】
【００１４】
本考案に係る兎用ハーネスは兎のみならず小動物にも適用でき、小動物に容易に着脱できると共に特に小動物の首部分にストレスを与えることなく小動物の体毛や皮膚を傷付けることなく小動物を保護する分野に利用できる。
【符号の説明】
【００１５】
１        兎用ハーネス
１ａ      略直線辺
１ｂ      立上辺
１ｃ      立上辺
１ｄ      上辺
１ｅ      略Ｖ字状凹部
１ｆ      略Ｖ字状凹部の左部分
１ｇ      略Ｖ字状凹部の右部分
１ｈ      左端部分
１ｉ      右端部分
１ｊ      上辺の縁部
１ｋ      下辺の縁部
１ｍ      縁部
１ｎ      縁部
２        係止具
２ａ      固定片
２ｂ      紐係止部
３        係止具
３ａ      固定片
３ｂ      紐係止部
４        略丸孔部
５        固定手段
Ａ        兎  
Ａ１      前足
Ａ２      前足
【図１】
0003162235.tif 000003
【図２】
0003162235.tif 000004
【図３】
0003162235.tif 000005